(57)【要約】      （修正有）【課題】ＣＤ−ＲＯＭを格納するスペースを、印刷による情報伝達媒体として有効に利用する。【解決手段】一方の裏表紙にＣＤ−ＲＯＭなどの記憶媒体を格納する格納スペース３０Ａ，３０Ｂが設けられた書籍１０において、格納スペース３０Ａ，３０Ｂは、記憶媒体を格納したときはこの記憶媒体によって隠され、記憶媒体を格納していないときは看取可能となる底面４０Ａ，４０Ｂを有し、この底面は、印刷により情報が表示された表示領域を有する。看者（読者）に情報を伝えるスペースとして利用されず無駄なスペースとなっていた、記憶媒体格納部の底面を有効利用することが可能となる。【選択図】図１
0003107941.tif 000002
【実用新案登録請求の範囲】
【請求項１】
少なくとも一方の裏表紙に記憶媒体格納部が設けられた、記憶媒体格納可能な書籍において、
前記記憶媒体格納部は、記憶媒体を格納したときはこの記憶媒体によって隠され、記憶媒体を格納していないときは看取可能となる底面を有し、
この底面は、印刷により情報が表示された表示領域を有している
ことを特徴とする書籍。
【請求項２】
少なくとも一方の裏表紙に記憶媒体格納部が設けられた、記憶媒体格納可能な書籍において、
前記記憶媒体格納部は：
前記裏表紙に取り付けられて記憶媒体格納部の底面となる部材であって、且つ、印刷により情報が表示された第１の表示領域を有する第１部材と、
前記表示領域を看取可能に露出する開口であって、記憶媒体を格納するための格納空間となる開口を有し、前記底面部材に固定された第２部材と、
記憶媒体が前記格納空間に納められたときこの記憶媒体を係止する記憶媒体係止部材と、
を有することを特徴とする書籍。
【請求項３】
請求項２に記載の書籍において、
前記第２部材は、印刷により情報が表示された第２の表示領域をその表面に有している
ことを特徴とする書籍。
【考案の詳細な説明】
【技術分野】
【０００１】
本件考案は、記憶媒体格納可能な書籍に関し、より詳しくはその底面に印刷により情報などが表示され、記憶媒体を取り外すと、看者に感得される情報を担持している書籍に関する。
【背景技術】
【０００２】
フロッピーディスク、ＣＤ−ＲＯＭ、ＤＶＤ (Digital Video Disc) などの記憶媒体の読み取り装置の普及と、これら記憶媒体の価格の低下に伴い、雑誌やハードカバーなどの書籍にこれら記憶媒体を添付して、読者に書籍による印刷による情報提供と共に、記憶媒体に格納した文字、画像、音声等の情報提供を行い、読者により豊富な情報を提供することが行われるようになってきた。
【０００３】
書籍などに記憶媒体を添付する方法としては、書籍などの裏表紙にプラスチックなどの材料を成形するなどの手法により、従来のＣＤケースやＤＶＤケースのように、記憶媒体を格納し、係止させる構造物を作り、これを書籍などの裏表紙に接着剤などにより固定する方法が用いられている。
【考案の開示】
【考案が解決しようとする課題】
【０００４】
さて、書籍の裏表紙も情報掲載の為のスペース（情報掲載スペース）として利用することが可能であり、従来から裏表紙に印刷により様々な情報を表示させ、情報伝達媒体として有効利用することが行われていた。しかしながら、従来のＣＤケースやＤＶＤケースのように、記憶媒体を格納し、且つこれを係止させる構造物を書籍に設けた場合は、裏表紙表面に凹凸や段差が形成されているため、印刷により情報を裏表紙に付与することが困難若しくは高コストとなるという問題点があり、その結果裏表紙を情報伝達媒体として利用することをあきらめなければならないという問題があった。
【０００５】
本考案の目的は、記憶媒体を格納する記憶媒体格納部を設けた書籍において、記憶媒体格納部を印刷による情報伝達媒体として有効に利用することを目的とする。
【課題を解決するための手段】
【０００６】
上記課題を解決するための手段として、本件考案は以下のような特徴を有する。
本考案の第１の態様は、少なくとも一方の裏表紙に記憶媒体格納部が設けられた書籍として提案される。
【０００７】
この書籍において、記憶媒体格納部は、記憶媒体を格納したときはこの記憶媒体によって隠され、記憶媒体を格納していないときは看取可能となる底面を有し、この底面は、印刷により情報が表示された表示領域を有することを特徴としている。
【０００８】
この書籍によれば、従来、看者（読者）に情報を伝えるスペースとして利用できず、無駄なスペースとなっていた、記憶媒体格納部の底面を有効利用することが可能となる。
【０００９】
また、この底面は記憶媒体を記憶媒体格納部から取り外したときに、看者（読者）の目に触れるという特性を有しているため、記憶媒体の再生時に看者（読者）に伝える必要となるメッセージ、或いは伝えると有効と考えられるメッセージなどをこの底面に表示しておくことによって、より効果的なメッセージ等の伝達が期待できる。
【００１０】
本発明の第２の態様は、少なくとも一方の裏表紙に記憶媒体格納部が設けられた書籍として提案される。
【００１１】
この書籍において、前記記憶媒体格納部は、前記裏表紙に取り付けられて記憶媒体格納部の底面となる部材であって、且つ、印刷により情報が表示された第１の表示領域を有する第１部材（底面シート）と、前記表示領域を看取可能に露出する開口であって、記憶媒体を格納するための格納空間となる開口を有し、且つ前記第１部材に固定された第２部材（外周側壁部）と、記憶媒体が前記格納空間に納められたときこの記憶媒体を係止する記憶媒体係止部材（フック部）とを有することを特徴としている。
【００１２】
この書籍においては、第１部材は、その表示領域に従来の印刷技術により所望の情報（文字、図形、模様、写真など印刷可能なものはすべて含む。ここにいう「情報」は、必ずしも看者が意味を認識できる内容である必要はない。）を印刷可能なため、樹脂を射出成形してなる記憶媒体格納部の底面に印刷を行う従来の手法に比べて、簡易且つ低コストで記憶媒体格納部の底面を情報伝達スペースとして有効利用することが可能となる。
【００１３】
上記記載の書籍において、第２部材は印刷により情報が表示された第２の表示領域をその表面に有しているという特徴をさらに加えても良い。
【００１４】
かかる書籍によれば、記憶媒体を記憶媒体格納部から取り外した時に、底面である第１の表示領域とその表示領域の周囲となる第２の表示領域が同時に看者に感得されるため、第１及び第２の表示領域のメッセージを合わせて初めて意味をなすメッセージを印刷するなど、特別の効果を有する情報伝達を行うことが可能となる。
【考案の効果】
【００１５】
本考案によれば、従来、看者（読者）に情報を伝えるスペースとして利用されず無駄なスペースとなっていた、記憶媒体格納部の底面を有効利用することが可能となる。
【考案を実施するための最良の形態】
【００１６】
［１．書籍の例］
本実施の形態にかかる書籍を図面を参照しながら説明する。
【００１７】
図１は、本実施の形態にかかる書籍の斜視図であって、記憶媒体が格納されていない状態の斜視図である。
【００１８】
この実施の形態では、書籍１０の裏表紙（裏２，裏３ともいう）２０Ａ、２０Ｂの両方に記憶媒体格納部である格納スペース３０Ａ，３０Ｂが設けられている。
【００１９】
格納スペース３０Ａ，３０Ｂは、情報ＩＭが印刷により表示されている底面４０Ａ、４０Ｂと、底面４０Ａ、４０Ｂの外周側壁となる第２部材である外周側壁部５０Ａ，５０Ｂと、底面４０Ａ、４０Ｂの中心に接着された、記憶媒体係止部であるフック部６０Ａ，Ｂとを有している。
【００２０】
底面４０Ａ、４０Ｂは、第１部材である底面シート７０Ａ、７０Ｂにより構成され、底面シート７０Ａ、７０Ｂは、印刷可能な被印刷媒体であって、例えば紙、板状プラスチックである。情報ＩＭは予め印刷により底面シート７０Ａ、７０Ｂに印刷されており、印刷が完了した状態で底面シート７０Ａ，７０Ｂはそれぞれ、書籍１０の表紙の裏面に糊や接着剤などにより貼付固定される。
【００２１】
外周側壁部５０Ａ，５０Ｂは、所望の厚さを有する板状の部材であって、例えば厚紙などである。外周側壁部５０Ａ，５０Ｂの厚さは記憶媒体を記憶媒体格納部３０Ａ，３０Ｂに収納したときに、記憶媒体が突出せず、書籍が正しく閉じられることを可能とする程度の厚さを有することが好ましい。
【００２２】
フック部６０Ａ，６０Ｂは、記憶媒体と係合し、係合を保持できる程度の弾性若しくは復元力を有する素材、例えば樹脂やゴムなどで形成されていることが好ましい。この図に示す例では、フック部６０Ａ，６０Ｂは円盤状に切り抜いた薄いプラスチック板を熱成形により図に示す形状に加工してなるものである。フック部６０Ａ，６０Ｂの上部中心に配された４つの突起が記憶媒体の中心穴に押し込まれ、これら突起の弾性復元力により、記憶媒体が格納スペース３０Ａ，３０Ｂに係止されるようになっている。
【００２３】
フック部６０Ａ，６０Ｂは、底面４０Ａ，４０Ｂの中心に糊又は接着剤などを用いて固定されている。
【００２４】
なお、記憶媒体係止部であるフック部６０Ａ，６０Ｂの形状は図示のものに限られる必要はなく、記憶媒体を係止可能なものであればどのようなものでも良い。また、必ずしも底面４０Ａ，４０Ｂに配置されている必要はなく、外周側壁部５０Ａ，５０Ｂに固定されているもの、例えば、外周側壁部５０Ａ、５０Ｂから格納スペース３０Ａ，３０Ｂに向かって突出した突起のような部材であっても構わない。
【００２５】
図２に、記憶媒体であるＣＤ−ＲＯＭが本実施の形態にかかる書籍に格納される様子を示す。記憶媒体であるＣＤーＲＯＭ８０は、フック部６０Ａをその中心穴９０に納めるように格納スペース３０Ａに挿入される。なお、格納スペース３０Ｂについても同様にＣＤーＲＯＭ８０の収容・係止が行われるが、本図ではその様子の図示は省略した。
【００２６】
図３に、ＣＤーＲＯＭ８０の格納スペース３０Ａへの収容・係止が完了した様子を示す。フック部６０Ａは、ＣＤーＲＯＭ８０の中心穴９０に納まり、その弾性・復元力により、ＣＤ−ＲＯＭ８０が容易に脱落しないよう係止し、格納スペース３０Ａ内に保持する。
【００２７】
［２．格納スペースの作成方法］
次に、格納スペース３０Ａ、３０Ｂの作成方法について図４から図７を参照しながら説明する。図４から図７はそれぞれ格納スペース３０Ａ作成の各工程における書籍の斜視図である。
なお、作成工程は格納スペース３０Ａ、３０Ｂのいずれにおいても同様であるので、以下の説明では、格納スペース３０Ａの作成についてのみ述べ、格納スペース３０Ｂについては同様であるので省略する。
【００２８】
［２．１．底面シートの貼付］
まず、底面シート７０Ａに情報ＩＭを印刷しておき、情報ＩＭが印刷された状態で底面シート７０Ａを書籍１０の表紙１００の裏面に糊や接着剤により貼付する（図４）。底面シート７０Ａは、印刷可能な形状・素材であるので容易に情報ＩＭが印刷できる。情報ＩＭは表示領域１１０として定められた領域内に収まるよう、予めレイアウトされている。
【００２９】
［２．２．フック部の貼付］
次に、書籍１０の表紙１００の裏面に貼付された底面シート７０Ａに、フック部６０Ａをやはり糊や接着剤など適宜の接着手段を用いて貼付する（図５）。
【００３０】
［２．３．外周側壁部の貼付］
次に、書籍１０の表紙１００の裏面に貼付され、フック部６０Ａが取り付けられた底面シート７０Ａに重ねて、外周側壁部５０Ａをやはり糊や接着剤により貼付する（図６）。同図に示すように、外周側壁部５０Ａには、前記表示領域１００を看取可能に露出する開口１２０が予め形成されている。開口１２０は、外周側壁部５０Ａの一部を表示領域１１０の形状に合わせて打ち抜くことによって形成されればよい。開口１２０は、ＣＤ−ＲＯＭを格納するための格納空間ともなる。また、外周側壁部５０Ａの開口１２０以外の部分は第２の表示領域として利用可能であり、予めこの第２の表示領域に所望の情報を印刷しておき、その後開口１２０の形成を行うことによって、外周側壁部５０Ａの開口１２０以外の部分を第２の表示領域として利用することも可能となる。
【００３１】
図７は、図６の工程が完了して格納スペース３０Ａが完成した状態の斜視図である。この状態において、記憶媒体であるＣＤ−ＲＯＭを格納したときはこの記憶媒体によって隠され、記憶媒体を格納していないときは看取可能となる底面３０Ａが格納スペース３０Ａに設けられ、且つ、この底面３０Ａは、印刷により情報ＩＭが表示された第１の表示領域となる。
【図面の簡単な説明】
【００３２】
【図１】本考案の一実施の形態にかかる書籍の斜視図
【図２】記憶媒体が本考案にかかる書籍に格納される様子を示す斜視図
【図３】ＣＤーＲＯＭが格納スペースに収容・係止された様子を示す斜視図
【図４】格納スペース作成の工程を示す斜視図
【図５】図４に続く、格納スペース作成の工程を示す斜視図
【図６】図５に続く、格納スペース作成の工程を示す斜視図
【図７】図６に続く、格納スペース作成の工程を示す斜視図
【符号の説明】
【００３３】
１０…書籍；    ２０Ａ，２０Ｂ…裏表紙；    ３０Ａ、３０Ｂ…格納スペース；    ４０Ａ，４０Ｂ…底面；    ５０Ａ，５０Ｂ…外周側壁部；    ６０Ａ，６０Ｂ…フック部    ７０Ａ、７０Ｂ…底面シート；    ８０…ＣＤ−ＲＯＭ；    ９０…中央穴；    １００…表紙；    １１０…表示領域
【図１】
0003107941.tif 000003
【図２】
0003107941.tif 000004
【図３】
0003107941.tif 000005
【図４】
0003107941.tif 000006
【図５】
0003107941.tif 000007
【図６】
0003107941.tif 000008
【図７】
0003107941.tif 000009